【事件の表示】
　商願２０１２−　５２５７４拒絶査定不服審判事件について、次のとおり審決する。
【結　論】
　原査定を取り消す。
　本願商標は、登録すべきものとする。
【理　由】
１　本願商標　
　本願商標は，別掲１のとおりの構成からなり，第３５類に属する願書記載のとおりの役務を指定役務として，平成２４年６月２９日に登録出願されたものである。　
　そして，指定役務については，原審における同年１２月２７日付けの手続補正書により，第３５類「被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供，身の回り品の小売又は卸売の業務において行われる顧客に対する便益の提供，時計及びサングラスの小売又は卸売の業務において行われる顧客に対する便益の提供」に補正されたものである。　
　
２　引用商標　
　原査定において，本願商標が商標法第４条第１項第１１号に該当するとして，本願の拒絶の理由に引用した登録商標は，以下の（１）ないし（７）のとおりであり，いずれも現に有効に存続しているものである。以下，これらをまとめて「引用商標」という場合がある。　
（１）登録第１０６２６５７号商標（以下「引用商標１」という。）は，「ＳＰＡＲＫ」の欧文字と「スパーク」の片仮名を上下二段に書してなり，昭和４６年１２月３０日に登録出願，第２３類に属する商標登録原簿記載のとおりの商品を指定商品として，昭和４９年４月１５日に設定登録され，その後，３回にわたり商標権の存続期間の更新登録がされ，平成１６年６月１６日に指定商品を第１４類「時計，時計の部品及び附属品」とする指定商品の書換登録がされたものである。　
（２）登録第２５２３７８８号商標（以下「引用商標２」という。）は，「ＳＰＡＲＫ」の欧文字と「スパーク」の片仮名を上下二段に書してなり，昭和６１年３月２６日に登録出願，第２２類に属する商標登録原簿記載のとおりの商品を指定商品として，平成５年４月２８日に設定登録され，その後，平成１５年５月１３日に商標権の存続期間の更新登録がされ，平成１６年９月１日に指定商品を第６類「つえ用金属製石突き」，第１４類「貴金属製靴飾り」，第１８類「傘，ステッキ，つえ，つえ金具，つえの柄」，第２１類「靴ブラシ，靴べら，靴磨き布，軽便靴クリーナー，シューツリー」，第２２類「靴用ろう引き縫糸」，第２５類「靴類（「靴合わせくぎ・靴くぎ・靴の引き手・靴びょう・靴保護金具・運動用特殊靴」を除く。），靴合わせくぎ，靴くぎ，靴の引き手，靴びょう，靴保護金具，げた，草履類」及び第２６類「靴飾り（貴金属製のものを除く。），靴はとめ，靴ひも，靴ひも代用金具」とする指定商品の書換登録がされ，平成２５年６月４日に第２５類について商標権の存続期間の更新登録がされたものである。　
（３）登録第４７６７９８０号商標（以下「引用商標３」という。）は，「スパーク」の片仮名と「ＳＰＡＲＫ」の欧文字を上下二段に書してなり，平成１５年７月１６日に登録出願，第２４類「織物（畳べり地を除く。），メリヤス生地，フェルト及び不織布，オイルクロス，ゴム引防水布，ビニルクロス，ラバークロス，レザークロス，ろ過布，布製身の回り品，かや，敷布，布団，布団カバー，布団側，まくらカバー，毛布，織物製テーブルナプキン，ふきん，シャワーカーテン，織物製トイレットシートカバー」及び第２５類「セーター類，ワイシャツ類，寝巻き類，下着，水泳着，水泳帽，和服，ガーター，靴下止め，ズボンつり，バンド，ベルト，仮装用衣服」を指定商品として，平成１６年４月３０日に設定登録されたものである。　
（４）登録第４８３８５８１号商標（以下「引用商標４」という。）は，「スパーク」の片仮名を標準文字で表してなり，平成１５年１２月１日に登録出願，第３類「洗濯用でん粉のり，洗濯用ふのり，塗料用剥離剤，靴クリーム，靴墨，つや出し剤，せっけん類，歯磨き，化粧品，香料類，研磨紙，研磨布，研磨用砂，人造軽石，つや出し紙，つや出し布，つけづめ，つけまつ毛」を指定商品として，平成１７年２月１０日に設定登録されたものである。　
（５）登録第５２０１３８９号商標（以下「引用商標５」という。）は，別掲２のとおりの構成からなり，平成１９年６月１８日に登録出願，第３５類「洋服・コートの小売又は卸売の業務において行われる顧客に対する便益の提供，かばん類及び袋物の小売又は卸売の業務において行われる顧客に対する便益の提供，身の回り品（布製身の回り品，ガーター・靴下止め・ズボンつり・バンド・ベルト，腕止め，つけづめ・つけまつ毛，ひげそり用具入れ・ペディキュアセット・まつ毛カール器・マニキュアセット，耳かき，携帯用化粧道具入れ，化粧用具（「電気式歯ブラシ」を除く。），つけあごひげ・つけ口ひげ・ヘアカーラー（電気式のものを除く。），傘，つえ用金属製石突き，ステッキ・つえ・つえ金具・つえの柄を除く。）の小売又は卸売の業務において行われる顧客に対する便益の提供，飲食料品（日本酒，ビール，洋酒・果実酒，中国酒，薬味酒，茶，コーヒー及びココア，清涼飲料・果実飲料，氷，菓子及びパン，みそ，ウースターソース・グレービーソース・ケチャップソース・しょうゆ・食酢・酢の素・そばつゆ・ドレッシング・ホワイトソース・マヨネーズソース・焼肉のたれ，人工甘味料，乳糖，角砂糖・果糖・氷砂糖・砂糖・麦芽糖・はちみつ・ぶどう糖・粉末あめ・水あめ，ごま塩・食塩・すりごま・セロリーソルト，うま味調味料，香辛料，食用油脂，乳幼児用粉乳，乳製品，アイスクリームのもと・シャーベットのもと，乳清飲料，食用魚介類（生きているものを除く。），食用魚介類（生きているものに限る。），コーヒー豆，肉製品・加工水産物（「かつお節・寒天・削り節・食用魚粉・とろろ昆布・干しのり・干しひじき・干しわかめ・焼きのり」を除く。），かつお節・寒天・削り節・食用魚粉・とろろ昆布・干しのり・干しひじき・干しわかめ・焼きのり，穀物の加工品，加工野菜及び加工果実，アーモンドペースト，コプラ，飲料用野菜ジュース，ぎょうざ・サンドイッチ・しゅうまい・すし・たこ焼き・肉まんじゅう・ハンバーガー・ピザ・べんとう・ホットドッグ・ミートパイ・ラビオリ，イーストパウダー・こうじ・酵母・ベーキングパウダー，即席菓子のもと，カレー・シチュー又はスープのもと，お茶漬けのり・ふりかけ，なめ物，酒かす，いわゆる健康食品，工業用粉類，豆，米・脱穀済みのえん麦・脱穀済みの大麦・食用粉類，あわ・きび・ごま・そば・とうもろこし・ひえ・麦・籾米・もろこしを除く。）の小売又は卸売の業務において行われる顧客に対する便益の提供，食肉の小売又は卸売の業務において行われる顧客に対する便益の提供，食用水産物（食用魚介類（生きているものを除く。），食用魚介類（生きているものに限る。）を除く。）の小売又は卸売の業務において行われる顧客に対する便益の提供，野菜及び果実の小売又は卸売の業務において行われる顧客に対する便益の提供，加工食料品（肉製品・加工水産物（「かつお節・寒天・削り節・食用魚粉・とろろ昆布・干しのり・干しひじき・干しわかめ・焼きのり」を除く。），かつお節・寒天・削り節・食用魚粉・とろろ昆布・干しのり・干しひじき・干しわかめ・焼きのり，穀物の加工品，加工野菜及び加工果実，アーモンドペースト，コプラ，飲料用野菜ジュース，ぎょうざ・サンドイッチ・しゅうまい・すし・たこ焼き・肉まんじゅう・ハンバーガー・ピザ・べんとう・ホットドッグ・ミートパイ・ラビオリ，イーストパウダー・こうじ・酵母・ベーキングパウダー，即席菓子のもと，カレー・シチュー又はスープのもと，お茶漬けのり・ふりかけ，なめ物，酒かす，いわゆる健康食品を除く。）の小売又は卸売の業務において行われる顧客に対する便益の提供，手動利器・手動工具及び金具（手動利器（「刀剣」を除く。），刀剣，かな床・はちの巣，手動工具（「すみつぼ類・皮砥・鋼砥・砥石」を除く。），すみつぼ類，研磨紙・研磨布・研磨用砂・人造軽石・つや出し紙・つや出し布，皮砥・鋼砥・砥石，金属製金具，水道蛇口用座金・水道蛇口用ワッシャー，キーホルダー，ゴム製又はバルカンファイバー製の座金及びワッシャー，かばん金具・がま口口金・蹄鉄，カーテン金具・金属代用のプラスチック製締め金具・くぎ・くさび・ナット・ねじくぎ・びょう・ボルト・リベット及びキャスター（金属製のものを除く。）・座金及びワッシャー（金属製・ゴム製又はバルカンファイバー製のものを除く。）・錠（電気式又は金属製のものを除く。），被服用はとめを除く。）の小売又は卸売の業務において行われる顧客に対する便益の提供，台所用品・清掃用具及び洗濯用具（加熱器・調理台・流し台，エッグスライサー（電気式のものを除く。）・かつお節削り器・角砂糖挟み・缶切・くるみ割り器・スプーン・チーズスライサー（電気式のものを除く。）・ピザカッター（電気式のものを除く。）・フォーク，家庭用浄水器，家庭用食品包装フイルム・紙製ごみ収集用袋・プラスチック製ごみ収集用袋，ストロー，アイスペール・泡立て器・こし器・こしょう入れ・砂糖入れ・塩振出し容器・卵立て・ナプキンホルダー・ナプキンリング・盆・ようじ入れ・ざる・シェーカー・しゃもじ・手動式のコーヒー豆ひき器及びこしょうひき・じょうご・すりこぎ・すりばち・ぜん・栓抜・大根卸し・タルト取り分け用へら・なべ敷き・はし・はし箱・ひしゃく・ふるい・まな板・麺棒・焼き網・ようじ・レモン絞り器・ワッフル焼き型（電気式のものを除く。）・清掃用具及び洗濯用具，織物製テーブルナプキン・ふきんを除く。）の小売又は卸売の業務において行われる顧客に対する便益の提供，農耕用品（肥料を除く。）の小売又は卸売の業務において行われる顧客に対する便益の提供，花及び木の小売又は卸売の業務において行われる顧客に対する便益の提供，燃料の小売又は卸売の業務において行われる顧客に対する便益の提供，写真材料の小売又は卸売の業務において行われる顧客に対する便益の提供，トレーディングスタンプ・ポイントカード・割引付特典カード・クーポン券の発行・清算及び管理，トレーディングスタンプ・ポイントカード・割引付特典カード・クーポン券の発行・清算及び管理に関する調査・指導・助言及び情報の提供」を指定役務として，平成２１年１月３０日に設定登録されたものである。　
（６）登録第５２１１７０６号商標（以下「引用商標６」という。）は，「スパーク」の片仮名と「ＳＰＡＲＫ」の欧文字を上下二段に書してなり，平成２０年２月８日に登録出願，第３類「洗濯用でん粉のり，洗濯用ふのり，せっけん類，歯磨き，化粧品，香料類，つけづめ，つけまつ毛」を指定商品として，平成２１年３月６日に設定登録されたものである。　
（７）登録第５５０８０６４号商標（以下「引用商標７」という。）は，「ＳＰＡＲＫ」の欧文字と「スパーク」の片仮名を上下二段に書してなり，平成２４年２月１６日に登録出願，第３類「洗濯用のり剤，せっけん類，歯磨き，化粧品，香料，薫料，衣類用・布製身の回り品用の芳香剤，つけづめ，つけまつ毛」を指定商品として，同年７月１３日に設定登録されたものである。　
　
３　当審の判断　
　本願商標は，別掲１のとおり，図案化された筆記体の欧文字と思しき図形の右側に，「ＰＡＲＫ」の文字を書し，該「ＰＡＲＫ」の「Ｋ」の文字の右下部に，赤色の星形図形を配し，更にこれらを下線で結んだ構成からなるものであり，外観上まとまりよく一体的に表されているものである。　
　そうすると，本願商標に接する看者は，構成全体として一体不可分のものと認識するものの，その先頭部分をただちに特定の文字として認識するとまではいえないから，上記構成においては，これよりは，特定の称呼及び観念を生じないものである。　
　なお，その構成中，図案化された筆記体の欧文字と思しき図形部分の特徴が欧文字「Ｓ」の特徴と共通する部分があることから，仮に，これに接する看者が，該図形部分を，欧文字「Ｓ」が図案化されたものと認識した場合には，本願商標から，「ＳＰＡＲＫ」の文字を理解，把握する場合もあり得るといえる。　
　ところで，本願指定役務である，いわゆる小売等役務においては，販売上の表現の一つである「スパークセール」「スパークＳＡＬＥ」と称する特売が，広く一般に行われている実情があることからすれば，「スパーク」「ＳＰＡＲＫ」の文字は，その指定役務との関係において，自他役務の識別力が弱いといえるものである。　
　他方，引用商標１ないし３，６及び７は，「ＳＰＡＲＫ」の欧文字及び，その表音である「スパーク」の片仮名を書してなるところ，その構成文字に相応して，「スパーク」の称呼を生じ，また，該「ＳＰＡＲＫ」の欧文字部分は，「火花，火の粉」の意味を有する英語であるから，これよりは，「火花，火の粉」の観念を生じるものである。　
　引用商標４は，「スパーク」の片仮名を標準文字で表してなるところ，その構成文字に相応して，「スパーク」の称呼を生じ，また，該文字は，「火花，火の粉」の意味を有する英語「ＳＰＡＲＫ」に通じるものと認められるから，これよりは，「火花，火の粉」の観念を生じるものである。　
　引用商標５は，別掲２のとおり，黒色の円中に白抜きで星形図形を配し，その右側に，少し図案化された「スパーク」の片仮名を書した構成からなるところ，該文字は英語「ＳＰＡＲＫ」に通じるものと認められるものの，本願商標と同様の理由により，その指定役務との関係において，自他役務の識別力が弱いといえるものである。　
　そこで，本願商標と引用商標との類否について検討するに，外観においては，本願商標と引用商標は，それぞれ上記のとおりの構成であって，顕著に異なるから，外観上明確に区別できるものである。　
　次に，本願商標からは，特定の称呼及び観念を生じないものであるから，両商標は，称呼及び観念上類似するとはいえないものである。　
　してみれば，本願商標と引用商標とは，外観，称呼及び観念のいずれの点においても，互いに相紛れるおそれのない非類似の商標である。　
　なお，仮に，本願商標から「ＳＰＡＲＫ」の文字を理解，把握された場合においても，上記のとおり，該文字の自他役務の識別力が弱いことからすると，本願商標と引用商標とは，外観，称呼及び観念を総合的に判断すれば，両商標は，商品及び役務の出所の誤認，混同を生じるおそれはないものと認められる。　
　したがって，本願商標が商標法第４条第１項第１１号に該当するとして本願を拒絶した原査定は，妥当でなく，取消しを免れない。　
　その他，本願について拒絶の理由を発見しない。　
　よって，結論のとおり審決する。